(57)【要約】【課題】  小型軽量で自在に携帯でき、しかも取り扱いが容易である上に、眼に悪影響を及ぼすことのない、簡易型の偽札判別器を提供することを課題とする。【解決手段】  その上に紙幣が載置される、少なくとも一部が光透過性の紙幣載置面を備えてなる収容ケースと、その収容ケース内に収容され、紙幣載置面を裏面から照らす光源とを有している簡易型偽札判別器を提供することによって上記の課題を解決する。【選択図】  図１
0003110524.tif 000002
【実用新案登録請求の範囲】
【請求項１】
その上に紙幣が載置される、少なくとも一部が光透過性の紙幣載置面を備えてなる収容ケースと、その収容ケース内に収容され、紙幣載置面を裏面から照らす光源とを有している簡易型偽札判別器。
【請求項２】
紙幣載置面に紙幣を一時的に挟み止めるクリップを有している請求項１記載の簡易型偽札判別器。
【請求項３】
光源がＬＥＤである請求項１又は２記載の簡易型偽札判別器。
【請求項４】
光源の電源として、収容ケース内に収容される電池、又は、ＡＣ／ＤＣアダプターを介在させた商用交流電源のいずれかを、適宜選択使用できる請求項１〜３のいずれかに記載の簡易型偽札判別器。
【請求項５】
収容ケースの紙幣載置面以外の面に磁石又は面ファスナなどの一時固定手段を備えている請求項１〜４のいずれかに記載の簡易型偽札判別器。
【考案の詳細な説明】
【技術分野】
【０００１】
本考案は、簡易型偽札判別器に関し、詳細には、小型軽量で自在に携帯でき、しかも取り扱いが容易な、簡易型の偽札判別器に関するものである。
【背景技術】
【０００２】
紙幣の偽造と偽造された偽札の使用は重大な犯罪であるけれども、後を絶たないのが実状である。偽札の使用を防止し、偽札による被害を未然に防ぐには、紙幣の真贋を的確に判別する手段が不可欠であり、これまでにも数多くの偽札判別装置が提案されている。しかしながら、これらの装置の殆どは、構造が複雑である上に大がかりなものであり、現金自動預払機や自動販売機などに装備されて一定の場所で使用するには適しているものの、商店の店頭などで誰もが気軽に利用したり、個人が携帯して要時に使用したりすることが困難なものであった。
【０００３】
一方、たとえば、特許文献１や特許文献２に見られるように、携帯に便利な小型の偽札判別器も提案されている。しかしながら、これら従来から提案されている小型の偽札判別器は、いずれも紫外線を紙幣に照射して、紙幣から出る紫外線発光パターンを調べるものであって、紫外線を紙幣の表面に照射しながら手動によって紙幣表面を走査しなければならず、その使用が面倒であるとともに、紙幣によっては印刷されている紫外線反応インクの種類が異なるので、それに合わせて照射する紫外線の波長を調整しなければならないという煩わしさがある。また、紫外線はこれを長時間見ていると眼に悪影響を及ぼすという問題点もあった。
【特許文献１】特開２０００−９９７８７号公報
【特許文献２】特開２００３−２５６９０３号公報
【考案の開示】
【考案が解決しようとする課題】
【０００４】
本考案は、上記のような従来の偽札判別装置の欠点を解消するために為されたもので、小型軽量で自在に携帯でき、しかも取り扱いが容易である上に、眼に悪影響を及ぼすことのない、簡易型の偽札判別器を提供することを課題とするものである。
【課題を解決するための手段】
【０００５】
本考案は、その上に紙幣が載置される、少なくとも一部が光透過性の紙幣載置面を備えてなる収容ケースと、その収容ケース内に収容され、紙幣載置面を裏面から照らす光源とを有している簡易型偽札判別器を提供することによって、上記課題を解決するものである。
【０００６】
本考案の簡易型偽札判別器によれば、真贋を判別すべき紙幣を紙幣載置面に載置するという簡単な操作によって、紙幣は紙幣載置面を裏面から照らす光にかざされることとなり、真正な紙幣には設けられている透かしの有無を誰もが極めて容易に見分けることができるので、透かしのないものを偽札であると判別することが可能となるものである。
【０００７】
紙幣載置面は、その上に載置された紙幣を裏面の光源からの光にかざすという必要上、その全面が光透過性であっても良いことは勿論であるけれども、少なくとも紙幣の透かし部分を光にかざすことができれば所期の目的は達せられるので、少なくともその一部が光透過性であれば良い。
【０００８】
また、本考案の簡易型偽札判別器には、その紙幣載置面に紙幣を一時的に挟み止めるクリップを備えるのが望ましく、このようなクリップが備えられていると、紙幣載置面が仮に水平状態にない場合でも、紙幣を一時的に所定位置に保持することができるので、簡易型偽札判別器の姿勢や、収容ケースのどの面に紙幣載置面が設けられているかに関わりなく、本考案の簡易型偽札判別器を使用することができるという利点がある。また、クリップを間隔をあけて２個以上備える場合には、その２個以上のクリップによって紙幣を異なる２箇所以上の位置で挟み込むことができるので、たとえば、折り畳まれて折りしわがついた紙幣でも、可能な限り平らな状態で紙幣載置面に載置することが可能となる。
【０００９】
本考案の簡易型偽札判別器に用いられる光源としては、紙幣載置面上に載置された紙幣の透かしの有無を見分けることができる明るさの光を発生することができるものであれば、どのような種類の光源を用いても良いが、得られる輝度と消費電力の少なさの観点からは、ＬＥＤを光源として用いるのが好ましい。
【００１０】
本考案の簡易型偽札判別器においては、光源用の電源として、収容ケース内に収容される電池、又は、ＡＣ／ＤＣアダプターを介在させた商用交流電源のいずれかを、適宜選択使用できるようにしておくのが望ましく、収容ケースに収容された電池を電源とする場合には、本考案の簡易型偽札判別器を自在に携帯して、どのような場所においても使用することができる。また、ＡＣ／ＤＣアダプターを介在させた商用交流電源も電源として利用可能にしておくことによって、通常の商用交流電源設備のある場所であればどこでも、仮に電池がなくても、本考案の簡易型偽札判別器を使用できるので便利である。
【００１１】
さらに、本考案の簡易型偽札判別器が、収容ケースの紙幣載置面以外の面に磁石又は面ファスナなどの一時固定手段を備えている場合には、レジスターの吟味台や、棚の側面など、平らでない場所にも、磁力または面ファスナの固着力によって本考案の簡易型偽札判別器を固定することができるので、置き場所を選ばずに本考案の簡易型偽札判別器を使用することが可能となる。
【考案の効果】
【００１２】
本考案の簡易型偽札判別器によれば、真贋を判別すべき紙幣を本考案の簡易型偽札判別器の紙幣載置面に載置するという極めて簡単な操作によって、誰もが、特段の熟練を要することなく、透かしの有無によって、その紙幣が偽札であるかどうかを判別することができる。しかも、本考案の簡易型偽札判別器は、基本的に、少なくとも一部が光透過性の紙幣載置面を備えた収容ケースと、その紙幣載置面を裏面から照らす光源とから構成されているので、構造が簡単である上に、小型軽量で、携帯に便利であり、外出時や、国内国外を問わず旅行時にも携行できるという利点がある。また、構造が簡単であるが故に、故障も少なく、低価格で提供できるという利点もある。さらには、紫外線を照射して紙幣からの紫外線の反射パターンを調べるものではないので、使用者や周囲の人の眼に悪影響を及ぼす恐れもなく、安心して使用できるという点でも便利である。このように本考案の簡易型偽札判別器は、構造簡単で小型軽量である上に、使用者や使用場所を問わず、容易に偽札を判別することができるという優れた利点を備えるものである。
【考案を実施するための最良の形態】
【００１３】
以下、本考案を図面を参照しながら詳細に説明するが、本考案が図示のものに限られる訳ではないことは勿論である。
【００１４】
図１は、本考案の簡易型偽札判別器の一例を示す斜視図であり、図において、１は本考案の簡易型偽札判別器、２はその収容ケースである。収容ケース２の上面は紙幣載置面３を構成している。紙幣載置面３は、その上に紙幣を載置できる大きさを有していれば良く、通常は平坦な平板状であるけれども、場合によっては凸状の曲面を有していても良い。したがって、収容ケース２の形状も、図示の例では、平板状の六面体であるけれども、図示の形状に限られず、一部に曲面を有する六面体であっても良いし、円筒形や半円筒形、三角柱状や、場合によっては球状であっても良い。また、図示の例においては、紙幣載置面３は収容ケース２の上面に位置しているけれども、収容ケース２の形状によっては、側面に位置していても良い。
【００１５】
４は、紙幣載置面３に設けられた、光透過性の材料で構成された照光面である。照光面４を構成する材料としては、光を透過させることができるものであればどのような材料を使用しても良く、たとえば、透明ないし半透明のガラス板や、ポリスチレン、アクリル樹脂、ＡＢＳ樹脂のような透明ないし半透明の樹脂板を使用しても良い。また、ポリカーボネートやメタクリル樹脂等の透明で屈折率の大きな樹脂から構成された導光板を照光面４として用いれば、光源の大きさや位置等に影響されずに照光面４を面光源とすることができ、紙幣を均一に照らすことができるので、好都合である。なお、図示の例では、照光面４の全体が同じ材料で均一に構成されているけれども、照光面４を複数の部分に分割し、部分毎に異なる材料で形成して、その光透過性を異ならせたり、一部、光透過性でない部分を設けるようにしても良い。
【００１６】
また、図示の例では、照光面４は、面積として、紙幣載置面３の半分以上を占めているけれども、紙幣載置面３の少なくとも一部が光透過性の照光面４であって、紙幣の透かし部分に光をあてることができる限り、照光面４が紙幣載置面３に占める割合には特段の制限はなく、場合によっては照光面４の面積は紙幣載置面３の半分以下であっても良い。また、図示の例においては、照光面４の平面形状は角に丸味のある長方形であるけれども、紙幣の透かし部分に光をあてることができる限り照光面４の平面形状に特段の制限はなく、円形、楕円形、三角形、若しくはその他の形状であっても良い。
【００１７】
５、５は、真贋を判別すべき紙幣を一時的に挟み止めるクリップであり、図示の例においては、紙幣載置面３に対して弾性的に付勢された爪部材６、６を備えており、爪部材６、６の下面と紙幣載置面３の上面との間で、図示しない紙幣を挟み込み、一時的に保持する役割を果たすものである。また、紙幣をクリップ５、５に挟み込むと、紙幣はクリップ５、５の内側と当接したところで停止するので、紙幣の位置決めが可能であり、紙幣載置面３上の所定位置に紙幣を載置する作業が容易になるという利点もある。さらには、紙幣はクリップ５、５に挟み込まれて保持されるので、紙幣載置面３が水平状態でない場合でも、紙幣は紙幣載置面３から落下したり、位置がずれたりすることがなく所定位置に保持される。これによって、本考案の簡易型偽札判別器１は、水平でない状態でも使用することが可能となる。なお、クリップ５、５としては、紙幣を挟み込んで一時的に保持することができる限り、どのような機構、構造のものを使用しても良いことは勿論である。
【００１８】
また、図示の例においては、クリップ５、５は、紙幣載置面３の長辺側の片側に２個設けられているけれども、クリップ５、５の数は２個に限られず、１個であっても良いし、３個以上であっても良い。ただし、図示のように少なくとも２個のクリップ５、５が、間隔をおいて配置されていると、紙幣を異なる２箇所で挟み込むことができるので、仮に折りしわが残って折れ曲がっている紙幣であっても、クリップ５、５に挟み込むことによって、その折れ曲がりを矯正して、照光面４に可及的に密着させることができるので、透かしの有無の判別が支障なく行えるという利点がある。また、クリップ５、５は、紙幣載置面３の短辺側に設けるようにしても良い。なお、７は後述する光源をオン、オフするスイッチであり、８は、ＡＣ／ＤＣアダプターを介して商用交流電源を電源とする場合の直流入力端である。
【００１９】
図２は、図１のＡ−Ａ断面図であり、図１で説明したのと同じ部材には同じ符号を付してある。図２に示すとおり、収容ケース２内には、ＬＥＤ基板９が収容されており、ＬＥＤ基板９には、光源として、複数の白色ＬＥＤ１０、１０、１０・・・が取り付けられている。１１は電池であり、図示しない電気回路を介して、白色ＬＥＤ１０、１０、１０・・・に電力を供給するものである。１２は収容ケース２の裏蓋であり、ネジ１３によって、収容ケース２の上面の裏側から降ろされた柱状の脚１４、１４・・・にネジ止めされている。
【００２０】
なお、図示の例では、光源として白色ＬＥＤ１０、１０、１０・・・を用いているけれども、本考案の簡易型偽札判別器において使用できる光源は、白色ＬＥＤに限られない。他の色のＬＥＤであっても良いし、白熱電球や蛍光灯など通常一般に使用されている光源も適宜使用できる。しかしながら、得られる輝度の大きさと、消費電力の少なさ、及び、紙幣の透かしの有無の見分け易さからすれば、白色ＬＥＤを用いるのが最も好ましい。また、白色ＬＥＤは、複数個をマトリックス状に配置するのが、照光面４を均一に照明する上で好ましいけれども、複数の白色ＬＥＤを一列に配置するだけでも良いし、十分な輝度が得られる場合には、たとえば、１個の白色ＬＥＤだけを用いるようにしても良い。この場合、照光面４として上述した導光板を用いると、仮に白色ＬＥＤの数が少なくても、照光面４を均一な面光源とすることができるので好ましい。
【００２１】
また、図示はしていないけれども、たとえば裏蓋１２の適宜の箇所や、収容ケース２の側面の適宜の箇所に、磁石ないしは面ファスナ等の一時固定手段を設けておくと、本考案の簡易型偽札判別器１を、磁力ないしは面ファスナの固着力によって、レジスターの吟味台や、棚の側面などに一時的に固定することができるので、安定して使用できるとともに、平らでない場所や、水平でない状態においても、本考案の簡易型偽札判別器１を使用することが可能となり極めて便利である。
【００２２】
図３は、複数の白色ＬＥＤ１０、１０、１０・・・に電力を供給する回路図の一例である。図に示すとおり、複数の白色ＬＥＤ１０、１０、１０・・・はマトリックス状に配置されており、スイッチ７をオンにすることによって、たとえば電池１１からの直流電流が、抵抗１５、１５、１５・・・を介して、白色ＬＥＤ１０、１０、１０・・・に供給され、白色ＬＥＤ１０、１０、１０・・・は発光することとなる。
【００２３】
１６は、ＡＣ／ＤＣアダプターであり、その一端を図示しない商用交流電源に接続し、他端を直流入力端８に接続することによって、所定の直流電流を白色ＬＥＤ１０、１０、１０・・・に供給し、それらを発光させることができる。このように、本考案の簡易型偽札判別器においては、電池１１又は商用交流電源のいずれをも適宜選択して電源とすることができるので、どのような場所においてもその使用が可能である。
【００２４】
本考案の簡易型偽札判別器１の使用に際しては、スイッチ７をオンにして、光源である白色ＬＥＤ１０、１０、１０・・・を発光させた状態で、真贋を判別すべき紙幣を、紙幣載置面３上に載置して、その透かしの部分を照光面４上に位置させるだけで良い。紙幣は、照光面４からの光に照らされ、透かしがある場合には、それが浮かび上がって見えるので、本物であると判別され、透かしが浮かび上がって見えない場合には、偽札であると判別される。なお、白色ＬＥＤ１０，１０、１０・・・は、紙幣を紙幣載置面３上に載置した後に発光させるようにしても良い。
【産業上の利用可能性】
【００２５】
以上説明したように、本考案の簡易型偽札判別器によれば、誰でもが、簡単な操作によって、偽札であるかどうかを判別することができるので、たとえば商店のレジや支払いカウンターなど、比較的短い時間で偽札であるかどうかの判別が求められる場所においても、容易に使用でき、偽札の使用を未然に防止できるという優れた効果が得られる。また、本考案の簡易型偽札判別器は、小型軽量で携帯が可能であり、故障も少なく、しかも安価に提供できるので、これを、たとえば、海外旅行や国内旅行に携行した場合には、旅先においても偽札の被害に会う危険性を著しく低減することができるものである。このように、本考案の簡易型偽札判別器は、偽札の被害に会うことなく誰もが安心して商取引を行うことを可能にするものであり、その産業上の利用可能性は多大である。
【図面の簡単な説明】
【００２６】
【図１】本考案の簡易型偽札判別器の一例を示す斜視図である。
【図２】本考案の簡易型偽札判別器の一例を示す断面図である。
【図３】本考案の簡易型偽札判別器における電気回路の一例を示す図である。
【符号の説明】
【００２７】
１          簡易型偽札判別器
２          収容ケース
３          紙幣載置面
４          照光面
５          クリップ
６          爪部材
７          スイッチ
８          直流入力端
９          ＬＥＤ基板
１０          白色ＬＥＤ
１１          電池
１２          裏蓋
１３          ネジ
１４          脚
１５          抵抗
１６          ＡＣ／ＤＣアダプター
【図１】
0003110524.tif 000003
【図２】
0003110524.tif 000004
【図３】
0003110524.tif 000005